(57)【特許請求の範囲】
【請求項１】
入力された画像データに応じて光源を点灯制御する制御手段を備えた光書き込み装置において、
前記制御手段は、光パルスの発振ディレイ幅は変化させずにドループ特性による光量低下を低減するため、前記光源に供給する２段階のバイアス電流として、常に流れている１段階目のバイアス電流、並びに当該光源の点灯直前に当該１段階目のバイアス電流に加算される２段階目のバイアス電流を制御し、走査ラインにおける当該光源の点灯時間に応じて当該２段階のバイアス電流の合計値が変わらぬように当該１段階目のバイアス電流値を変化させることを特徴とする光書き込み装置。
【請求項２】
請求項１記載の光書き込み装置において、
前記制御手段は、走査ラインにおける前記光源の点灯時間に応じて前記２段階のバイアス電流の合計値が変わらぬように前記２段階目のバイアス電流の通電時間を変化させることを特徴とする光書き込み装置。
【請求項３】
入力された画像データに応じて複数の光源を点灯制御する制御手段を備えた光書き込み装置において、
前記制御手段は、前記複数の光源に供給する２段階のバイアス電流として、常に流れている１段階目のバイアス電流、並びに当該複数の光源の点灯直前に当該１段階目のバイアス電流に加算される２段階目のバイアス電流を制御し、当該複数の光源のうちの第１の光源を点灯させる直前に、当該第１の光源に対する近傍の第２の光源の点灯有無によって当該第１の光源に供給する当該２段階のバイアス電流を変化させると共に、当該第２の光源が点灯している場合は、当該第１の光源に供給する当該２段階のバイアス電流の合計値が変わらぬように当該１段階目のバイアス電流値を変化させることを特徴とする光書き込み装置。
【請求項４】
請求項３記載の光書き込み装置において、
前記制御手段は、前記第１の光源を点灯させる直前に、当該第１の光源に対する近傍の光源のうちの点灯しているものの数に応じて前記２段階のバイアス電流の合計値が変わらぬように前記１段階目のバイアス電流値を変化させることを特徴とする光書き込み装置。
【請求項５】
請求項３記載の光書き込み装置において、
前記制御手段は、前記第１の光源を点灯させる直前に、当該第１の光源に対する近傍の第２の光源が点灯している場合は、当該第１の光源に供給する前記２段階のバイアス電流の合計値が変わらぬように前記２段階目のバイアス電流の通電時間を変化させることを特徴とする光書き込み装置。
【請求項６】
請求項５記載の光書き込み装置において、
前記制御手段は、前記第１の光源を点灯させる直前に、当該第１の光源に対する前記近傍の光源のうちの点灯しているものの数に応じて当該第１の光源に供給する前記２段階のバイアス電流の合計値が変わらぬように前記２段階目のバイアス電流の通電時間を変化させることを特徴とする光書き込み装置。
【請求項７】
入力された画像データに応じて複数の光源を点灯制御する制御手段を備えた光書き込み装置において、
前記制御手段は、前記複数の光源に供給する２段階のバイアス電流として、常に流れている１段階目のバイアス電流、並びに当該複数の光源の点灯直前に当該１段階目のバイアス電流に加算される２段階目のバイアス電流を制御し、当該複数の光源のうちの走査ラインにおける第１の光源の点灯時間、及び当該第１の光源に対する近傍の光源のうちの点灯しているものの数に応じて当該２段階のバイアス電流の合計値が変わらぬように点灯する光源に供給する当該１段階目のバイアス電流値を変化させることを特徴とする光書き込み装置。
【請求項８】
入力された画像データに応じて複数の光源を点灯制御する制御手段を備えた光書き込み装置において、
前記制御手段は、前記複数の光源に供給する２段階のバイアス電流として、常に流れている１段階目のバイアス電流、並びに当該複数の光源の点灯直前に当該１段階目のバイアス電流に加算される２段階目のバイアス電流を制御し、当該複数の光源のうちの走査ラインにおける第１の光源の点灯時間、及び当該第１の光源に対する近傍の光源のうちの点灯しているものの数に応じて当該２段階のバイアス電流の合計値が変わらぬように点灯する光源に供給する当該２段階目のバイアス電流の通電時間を変化させることを特徴とする光書き込み装置。
【請求項９】
請求項１〜８の何れか１項記載の光書き込み装置において、
前記光源の特性に応じて前記２段階のバイアス電流の合計値が変わらぬような特性を予め検出しておき、前記制御手段は、前記特性に基づいて前記光源に供給する前記２段階のバイアス電流を制御することを特徴とする光書き込み装置。
【請求項１０】
請求項１〜９の何れか１項記載の光書き込み装置を備えていることを特徴とする画像形成装置。
【発明の詳細な説明】
【技術分野】
【０００１】
本発明は、画像記録媒体に光書き込みを行う光書き込み装置、及びその光書き込み装置を備えたプリンタ、複写機、ファクシミリ、及びこれらの機能を複合して有するデジタル複合機などの画像形成装置に係り、特に、ドループ特性による光量低下を低減して光書き込みを行う技術に関する。
【背景技術】
【０００２】
画像形成装置に用いられる半導体レーザ（以下、「ＬＤ」と称す）は直流点灯させた場合、自身の発熱により光量が徐々に低下するという特性が知られている。この特性はドループと称されている。図１１は、ドループ発生時のＬＤ駆動電流（同図（ａ））とＬＤ光の出力波形（同図（ｂ））を示す図である。図１１から分かるように、ＬＤに駆動電流を流すと、ＬＤの点灯中にＬＤの発熱により温度が変化し、それに伴ってＬＤの発光光量が変化する。このように光量が変化（低下）してしまうと、電子写真では画像に濃淡が生じてしまう。そこで、図１２に示すようにＬＤ点灯前にバイアス電流を流し、ＬＤの温度を予め上げておき、点灯による温度上昇飽和点に近づけておくことによって温度差を減少させ、ドループを低減させることが従来から行われている。図１２（ａ）はバイアス電流を流さない場合の光出力の特性を示し、図１２（ｂ）はバイアス電流Ｉ１を流したときの光出力の特性を示す。図１２（ａ）では、図１２（ｂ）に対して光出力の立ち上がりが遅れていることが分かる。この遅れを発振ディレイＤＬと称している。
【０００３】
これを解決するための技術として、例えば特許文献１記載の発明が知られている。この発明は、画像データに基づいてオン・オフ制御される光ビームを射出する半導体発光素子の光量を制御する方法に係るもので、所定の画像データの画像記録に先行してこの画像データに接近する一定範囲内の画像データのオン・オフ時間比を求め、このオン・オフ時間比に基づいて前記所定の画像データを記録するための駆動電流に付加するバイアス電流を制御して、光ビームの光量を略一定に制御するようにしている。
【特許文献１】特許第３６２８１２８号公報
【発明の開示】
【発明が解決しようとする課題】
【０００４】
しかし、前記特許文献１記載の発明では、ＬＤのドループを低減するため、ライン毎のＬＤ点灯時間を事前に求め、ＬＤのオン／オフ時間に応じてバイアス電流の値を変化させ、ドループを低減させているが、ＬＤ点灯直前のバイアス電流量によって光パルス幅の再現性が異なり、前記発振ディレイＤＬへの対応が不十分であった。そしてこれにより、画を書き込んだ後の濃淡の発生が十分に抑えられているとは言い難い。
【０００５】
そこで、本発明が解決しようとする課題は、ＬＤ点灯毎の発振ディレイの変化を抑え、ドループを低減して画質の向上を図ることにある。
【課題を解決するための手段】
【０００６】
上記課題を解決するため、本発明の光書き込み装置の第１の基本構成は、入力された画像データに応じて光源を点灯制御する制御手段を備えた光書き込み装置において、前記制御手段は、光パルスの発振ディレイ幅は変化させずにドループ特性による光量低下を低減するため、前記光源に供給する２段階のバイアス電流として、常に流れている１段階目のバイアス電流、並びに当該光源の点灯直前に当該１段階目のバイアス電流に加算される２段階目のバイアス電流を制御し、走査ラインにおける当該光源の点灯時間に応じて当該２段階のバイアス電流の合計値が変わらぬように当該１段階目のバイアス電流値を変化させることを特徴とする。
【０００７】
本発明の光書き込み装置の第２の基本構成は、入力された画像データに応じて複数の光源を点灯制御する制御手段を備えた光書き込み装置において、前記制御手段は、前記複数の光源に供給する２段階のバイアス電流として、常に流れている１段階目のバイアス電流、並びに当該複数の光源の点灯直前に当該１段階目のバイアス電流に加算される２段階目のバイアス電流を制御し、当該複数の光源のうちの第１の光源を点灯させる直前に、当該第１の光源に対する近傍の第２の光源の点灯有無によって当該第１の光源に供給する当該２段階のバイアス電流を変化させると共に、当該第２の光源が点灯している場合は、当該第１の光源に供給する当該２段階のバイアス電流の合計値が変わらぬように当該１段階目のバイアス電流値を変化させることを特徴とする。
【０００８】
本発明の光書き込み装置の第３の基本構成は、入力された画像データに応じて複数の光源を点灯制御する制御手段を備えた光書き込み装置において、前記制御手段は、前記複数の光源に供給する２段階のバイアス電流として、常に流れている１段階目のバイアス電流、並びに当該複数の光源の点灯直前に当該１段階目のバイアス電流に加算される２段階目のバイアス電流を制御し、当該複数の光源のうちの走査ラインにおける第１の光源の点灯時間、及び当該第１の光源に対する近傍の光源のうちの点灯しているものの数に応じて当該２段階のバイアス電流の合計値が変わらぬように点灯する光源に供給する当該１段階目のバイアス電流値を変化させることを特徴とする。
【０００９】
本発明の光書き込み装置の第４の基本構成は、入力された画像データに応じて複数の光源を点灯制御する制御手段を備えた光書き込み装置において、前記制御手段は、前記複数の光源に供給する２段階のバイアス電流として、常に流れている１段階目のバイアス電流、並びに当該複数の光源の点灯直前に当該１段階目のバイアス電流に加算される２段階目のバイアス電流を制御し、当該複数の光源のうちの走査ラインにおける第１の光源の点灯時間、及び当該第１の光源に対する近傍の光源のうちの点灯しているものの数に応じて当該２段階のバイアス電流の合計値が変わらぬように点灯する光源に供給する当該２段階目のバイアス電流の通電時間を変化させることを特徴とする。
【００１８】
なお、後述の実施形態では、光源はＬＤ３２に、制御手段はＬＤ制御部２に、データ処理手段は画像データ処理部１にそれぞれ対応し、光書き込みは光源部３と光走査部４によって行われる。
【発明の効果】
【００１９】
本発明によれば、光パルスの発振ディレイ幅が変化しないように光源点灯直前に光源に供給する２段階のバイアス電流を制御するので、ドループを低減して画質の向上を図ることができる。
【発明を実施するための最良の形態】
【００２０】
以下、図面を参照し、本発明の実施形態について説明する。
【００２１】
図１は本発明の実施形態に係る画像形成装置の書き込み制御部のブロック図である。この書き込み制御部は、画像データ処理部１、ＬＤ制御部２、光源部３、光走査部４、及びＣＰＵ５から基本的に構成されている。
【００２２】
画像データ処理部１は画像処理ＡＳＩＣ（あるいは画像処理コントローラ）から構成され、ＬＤ制御部２側に画像データと画像領域信号を出力する。
【００２３】
ＬＤ制御部２は、速度変換用ラインメモリ２１、各種パターン生成部２２、書き込みγ変換部２３、ＬＤ変調及び各種クロック生成部２４、連続点灯検出部２５、ＬＵＴ（ルックアップテーブル）２６、バイアス電流発生部２７、画像領域制御及び各種タイミング制御部２８、各種設定レジスタ及びポリゴンモータ制御部２９を備えている。また、ＬＤ制御部２は、画像データ入力Ｉ／Ｆ２０ａ、コマンドＩ／Ｆ２０ｂ、ＬＤ変調Ｉ／Ｆ２０ｃ、同期検知Ｉ／Ｆ２０ｄ、ポリゴンモータＩ／Ｆ２０ｅによって外部からのデータあるいは信号の入力、外部へのデータあるいは信号の出力を行う。
【００２４】
光源部３はレーザ駆動部３１とＬＤ３２を備え、光走査部４はポリゴンモータドライバ４１、ポリゴンモータ４２及び同期検知センサ４３を備えている。
【００２５】
このような構成要素からなる書き込み制御部では、画像データ処理部１から出力された画像データは画像データ入力Ｉ／Ｆ２０ａからＬＤ制御部２内のラインメモリ２１に格納され、連続点灯検出部２５を介して取得されたライン毎のＬＤ点灯時間をＬＵＴ２６に読み込ませる。バイアス電流発生部２７はＬＵＴ２６に格納されたＬＤ点灯時間に基づいて、ＬＤ点灯時間に対応したバイアス電流Ｉ１、Ｉ２、発光電流Ｉｂ、Ｉｃを発生し、ＬＤ３２を点灯させる。
【００２６】
また、バイアス電流Ｉ１、Ｉ２はＬＤ変調部及び各種クロック形成部２４で、同期検知センサ４３からの同期検知信号に基づいてバイアス電流Ｉ１、Ｉ２をレーザ駆動部３１側に出力する。ＬＤ変調部及び各種クロック形成部２４からの出力はＬＤ変調Ｉ／Ｆ２０ｃを介して光源部３側に入力される。
【００２７】
画像領域制御及び各種タイミング制御部２８は、画像データ処理部１から出力される画像領域信号と、各種設定レジスタ及びポリゴンモータ制御部２９から入力される信号に基づいて画像領域制御信号及びタイミング制御信号を生成する。各種設定レジスタ及びポリゴンモータ制御部２９は、ＣＰＵ５から同期シリアル信号等が入力され、ポリゴンモータドライバ４１にポリゴンモータ４２への駆動信号を出力する。ポリゴンモータ４２は図示しないポリゴンミラーを回転させ、前記ＬＤ３２から出射される変調されたレーザ光を図示しない画像転写媒体の主走査方向、例えば感光体ドラム表面を主走査方向に露光走査する。これにより、感光体ドラム表面に潜像が形成される。なお、このような光書き込み装置を備えた電子写真式の画像形成装置は公知なので、詳細は省略する。
【００２８】
図２はレーザ駆動部３１から出力されるＬＤ駆動電流の内訳を示す図である。横軸に電流値を、縦軸に光量をとっている。ＬＤ３２のバイアス電流は、常に流れている固定電流Ｉ１とＬＤ点灯直前に加算される加算電流Ｉ２の２段階に分けられる。事前にＬＤ３２の閾値電流Ｉｔｈを測定し、温度変動によるＩｔｈの変動に対し、バイアス電流の合計がＩｔｈを超えてＬＤ３２が発光することがないようマージンを持たせるためにＩｔｈからＩｂを引いた値がＩ１とＩ２の合計値となるように制御している。すなわち、
Ｉａ＝Ｉ１＋Ｉ２
＝Ｉｔｈ−Ｉｂ
という関係に制御される。
【００２９】
ＬＤ点灯前に前記バイアス電流（Ｉ１＋Ｉ２）を流しておくと、ＬＤ温度が既に上昇した状態で点灯制御が行われるため、図１１に示したドループによる光量の変化を低減することが可能となる（図１２）。また、バイアス電流Ｉ１と加算電流Ｉ２の合計値（Ｉａ）が増加すると、ＬＤ３２の発振ディレイＤＬは減少する。しかし、上述したようにバイアス電流の合計値Ｉａが大きくなり過ぎると、ＬＤ３２の閾値電流Ｉｔｈを超え、ＬＤ３２が発光してしまう可能性があり、また、オフセット発光による地汚れの原因となる。そこで、マージンＩｂの設定量が重要となる。なお、図２では、ＩｏｎはＬＤ３２の点灯電流を、ＩｏｐはＬＤ３２の駆動電流をそれぞれ示す。
【００３０】
以下、本実施形態におけるＬＤ制御について、各実施例に分けて説明する。
【実施例１】
【００３１】
本実施例は、ＬＤ制御部２が、走査ラインにおける光源の点灯時間に応じて、２段階のバイアス電流の合計値が変わらぬように１段階目のバイアス電流値を変化させる例である。図３及び図４は、この実施例１におけるＬＤ発光電流の出力タイミングを示すタイミングチャートであり、図３はＬＤ発光時間が短いラインでのタイミングチャート、図４はＬＤ発光時間が長いラインでＩ１を増加させた場合のタイミングチャートである。先にも触れたが、ＬＤ３２はデータ信号に応じてパルス発光を行う。その際、ＬＤ３２には常に固定電流Ｉ１が流され、ＬＤ点灯直前に加算電流Ｉ２が加算されてドループ及び発振ディレイＤＬを低減させ、その後、Ｉｂ＋Ｉｃの電流値が加算され、点灯電流ＩｏｎでＬＤ３２は点灯する。その後、ＬＤ３２は駆動電流Ｉｏｐが流される時間だけ発光する。
【００３２】
ＬＤ制御部２は図３に示すように、ＬＤ発光時間が短い走査ラインにおいては固定電流Ｉ１が少なくなるように制御する（図３−Ａ）。この場合には、ＬＤ発光時間が短いため、ドループによる光量の低下率は元々小さいと考えられる。この際、固定電流Ｉ１が小さいことから、この走査ラインでは消費電流を小さくするというメリットもある。また、図４に示すように、ＬＤ発光時間が長い走査ラインにおいては、発光時間に応じて固定電流Ｉ１を増加させる（図４−Ｂ）。これによりＬＤ３２のドループによる光量低下を低減することができる。このとき、固定電流Ｉ１を増加させた分、加算電流Ｉ２は減じ、合計値Ｉａ（＝Ｉ１＋Ｉ２）が一定となるようにする。これによって発振ディレイＤＬを変化させることなくドループのみ低減することができる。
【００３３】
なお、図４では、固定電流Ｉ１を増加させる前の電流出力特性と、そのときの光出力特性をそれぞれ鎖線で示す。
【００３４】
ここで、前記電流Ｉａは固定電流Ｉ１と加算電流Ｉ２を加算した値であるが、有効走査領域に対する発光時間の割合をＲａｔｉｏとおくと、このＲａｔｉｏが長い程Ｉ１が大きくなる。この状態を図５に示す。最もＬＤ３２が長く発光するラインはＲａｔｉｏが１００％であり、そのときに、固定電流Ｉ１は電流Ｉａとなる。この間、使用するＬＤ３２の特性によって発光時間の割合Ｒａｔｉｏと電流Ｉａとの関係は図５に示す特性（１）、（２）、（３）のように異なる。なお、特性（１）は、発光時間（横軸）とＩ１の大きさ（縦軸）の関係が線形の例であるが、特性（２）及び（３）のような特性のルックアップテーブル（ＬＵＴ）を使用して発光時間の割合Ｒａｔｉｏと電流Ｉａとの関係を設定することができる。
【実施例２】
【００３５】
本実施例は、ＬＤ制御部２が、走査ラインにおける光源の点灯時間に応じて、２段階のバイアス電流の合計値が変わらぬように２段階目のバイアス電流の通電時間を変化させる例である。図６はこの実施例２におけるＬＤ発光電流の出力タイミングを示すタイミングチャートである。すなわち、ＬＤ制御部２は、ＬＤ発光時間が長い走査ラインにおいては、発光時間に応じて電流Ｉａの通電時間を長くする。これにより、ＬＤ発光開始前にＬＤ３２の温度を長い期間温めることができるため、ＬＤ３２のドループを低減することが可能となる。この場合、電流Ｉａの値は変化させないで発振ディレイの変化を招くことなく、ドループのみ低減することができる。
【００３６】
なお、図６では、電流Ｉａの通電時間を変えなかった場合の電流出力特性と、そのときの光出力特性をそれぞれ鎖線で示す。
【００３７】
図７は有効走査期間に対するＬＤ３２の点灯時間の割合をＲａｔｉｏとしたときのＩａの通電時間を示す特性図である。この場合、Ｒａｔｉｏが１００％のときにＩａ通電時間が１画素ＣＬＫとなるように制御する。ただし、Ｒａｔｉｏが小さいときも電流Ｉａは完全には０にならない。本発明の特徴の重要な点は「ＬＤ発光直前のバイアス電流は必ずＩａであり、発振ディレイＤＬの大きさを毎ライン揃えられる」ことであり、ほとんどＬＤ３２が点灯しないラインにおいても、発振ディレイＤＬが共通になるように、電流Ｉａは最低限の時間（図中Ｉｍｉｎ）が流れるようにし、Ｉｍｉｎの時間はＬＤ毎に決定する。図７においても、図５と同様に、使用するＬＤ３２の特性によって発光時間の割合Ｒａｔｉｏと電流Ｉａの通電時間との関係は図７に示す特性（４）、（５）、（６）のように異なる。なお、特性（４）は、発光時間（横軸）とＩ１の大きさ（縦軸）の関係が線形の例であるが、特性（５）及び（６）のような特性のルックアップテーブル（ＬＵＴ）を使用して発光時間の割合Ｒａｔｉｏと電流Ｉａとの関係を設定することができる。
【実施例３】
【００３８】
本実施例は、ＬＤ制御部２が、第１の発光源を点灯させる際に、近傍の第２の発光源の点灯の有無によって第１の発光源のバイアス電流を変化させる例である。図８は、マルチレーザ素子において一方のｃｈ（図ではｃｈ１）の点灯により、他ｃｈ（図ではｃｈ２）のドループ特性が悪化していることを示す図である。ＬＤＡ（ＬＤアレイ）やＶＣＳＥＬ（面発光レーザ）等、マルチレーザ素子においては１つのｃｈが発光すると、他のｃｈに熱的影響を与え、他ｃｈのドループが悪化する。これをクロストークと言う。
【００３９】
そこで、本実施例では、ＬＤ制御部２が第１の発光源を点灯させる際に、近傍の第２の発光源の点灯の有無によって第１の発光源のバイアス電流を変化させ、クロストークの低減を図っている。すなわち、あるｃｈ（ｃｈ２）を点灯させる際に、近傍のｃｈ（ｃｈ１）が点灯している場合はｃｈ１の合計電流Ｉａが変わらぬように固定電流Ｉ１を変化させる。これにより、ｃｈ２の光パルスの発振ディレイを変化させることなく、クロストークのみ低減することができる。
【００４０】
なお、図８では、ｃｈ１からの熱によってｃｈ２のドループが悪化した状態を鎖線で示す。
【実施例４】
【００４１】
本実施例は、ＬＤ制御部２が第１の発光源を点灯させる際に、近傍の第２の発光源が点灯している場合は、第１の発光源の２段階のバイアス電流の合計値が変わらぬように１段階目のバイアス電流値を変化させる例である。図９は、この実施例におけるＬＤ発光電流の出力タイミングを示すタイミングチャートである。
【００４２】
この実施例では、マルチレーザ素子において、あるｃｈ（ｃｈ２）を点灯させるときに、他ｃｈ（ｃｈ１）が点灯している場合には、ｃｈ２の固定電流Ｉ１を増加させる（図９−Ｃ）。これによりクロストークによるｃｈ２の光量低下量を低減することができる。この際、電流Ｉａの値は変化させないようにすることにより、発振ディレイを変化させることなく、ドループのみ低減することができる。
【００４３】
また、この実施例は光源がさらに多い素子（多ｃｈ  ＬＤＡ、ＶＣＳＥＬ）にも応用できる。すなわち、ある発光ｃｈを点灯させる場合に、他のｃｈのうちの点灯しているものの数によって、固定電流Ｉ１を増加させる。これにより、クロストークによるｃｈ２の光量低下量を低減することができる。この場合も、電流Ｉａの値は変化させないようにすることにより、発振ディレイＤＬを変化させることなく、ドループのみ低減することができる。なお、増加させる電流の量はｃｈ数によって変わってくるので、予め実験などに基づいて最適な値を検討し、その値に設定する。
【００４４】
なお、図７では、固定電流Ｉ１を増加させなかった場合の電流出力特性と、そのときの光出力特性をそれぞれ鎖線で示している。
【実施例５】
【００４５】
本実施例は、ＬＤ制御部２が第１の発光源を点灯させる際に、近傍の第２の発光源が点灯している場合は、第１の発光源の２段階のバイアス電流の合計値が変わらぬように２段階目のバイアス電流の通電時間を変化させる例である。図１０は、この実施例におけるＬＤ発光電流の出力タイミングを示すタイミングチャートである。
【００４６】
この実施例では、マルチレーザ素子において、あるｃｈ（ｃｈ２）を点灯させるときに、他ｃｈ（ｃｈ１）が点灯している場合には、ｃｈ２の電流Ｉａの通電時間を増加させるようにした（図１０−Ｄ）。これにより、ｃｈ２発光開始前にｃｈ２の温度を長い期間暖めることが可能となるため、クロストークによるｃｈ２の光量低下量を低減することができる。その際、電流Ｉａについては電流値の変化はなく、通電時間だけ増加させることにより、発振ディレイの変化を招くことなく、ドループのみ低減することができる。
【００４７】
この実施例は、光源がさらに多い素子（多ｃｈ  ＬＤＡ、ＶＣＳＥＬ）にも応用できる。すなわち、ある発光ｃｈを点灯させる場合に、他のｃｈのうちの点灯しているものの数によって、電流Ｉａの通電時間を増減させることにより、クロストークによるｃｈ２の光量低下量を低減することが可能となる。
【００４８】
なお、図１０では、電流Ｉａを増加させなかった場合の電流出力特性と、そのときの光出力特性をそれぞれ鎖線で示している。
【００４９】
また、マルチレーザ素子の場合には、例えば前記実施例１の２段階のバイアス電流の合計値が変わらぬように１段階目のバイアス電流の通電時間を変化させる制御と、実施例４のある発光ｃｈを点灯させる場合に、他のｃｈのうちの点灯しているものの数によって、固定電流Ｉ１を増加させる制御を組み合わせ、あるｃｈを点灯させる際に、そのｃｈの走査ラインの点灯時間と、他ｃｈの点灯有無に応じて電流Ｉａの値を変化させずに、固定電流Ｉ１の値を変化させることによって、点灯ｃｈ自身のドループと、他ｃｈからのクロストークによる光量低下を低減し、かつ発振ディレイを変化させないようにすることができる。
【００５０】
また、前記実施例２の２段階のバイアス電流の合計値が変わらぬように２段階目のバイアス電流の通電時間を変化させる制御と、実施例４の点灯しているものの数によって２段階のバイアス電流の合計値が変わらぬように１段階目のバイアス電流値を変化させる制御を組み合わせ、マルチレーザ素子において、あるｃｈを点灯させる際に、そのｃｈの走査ラインの点灯時間と、他ｃｈの点灯有無に応じて固定電流Ｉａの値を変化させずに、通電時間を変化させることによって、点灯ｃｈ自身のドループと、他ｃｈからのクロストークによる光量低下を低減し、かつ発振ディレイを変化させないようにすることができる。
【００５１】
なお、実施例１では、発振ディレイを変化させずにドループのみ低減するために、固定電流Ｉ１の大きさを変化させ、実施例２では電流Ｉａの長さを変化させているが、１つの書き込みラインにおけるＬＤの発光時間によってそのどちらかを選択するというものではない。
【００５２】
以上のように本実施形態によれば、バイアス電流を２段階とし、ＬＤ点灯直前のバイアス電流量の合計値は固定であるため、ＬＤの点灯時間が長いライン（＝ドループによる光量低下が大きいライン）においては、１段階目のバイアス電流を多く流し、あるいは、２段階目のバイアス電流通電時間を長くすることにより、既にＬＤが温まっている状態からＬＤの点灯を開始させるので、ドループによる光量低下を低減することができる。その際、発振ディレイの大きさを毎ライン同じにして光書き込みを行うことにより、各ラインでドループによる光量低下の影響がない光書き込みが行える。その結果、画像データの再現性がライン毎に変化しないようにすることができる。
【００５３】
さらに、マルチレーザ素子において、発振ディレイの大きさを揃えるように制御することにより多ｃｈの発光源の発光によるクロストークの影響も補正することができる。
【図面の簡単な説明】
【００５４】
【図１】本発明の実施形態に係る画像形成装置の書き込み制御部のブロック図である。
【図２】レーザ駆動部から出力されるＬＤ駆動電流の内訳を示す図である。
【図３】実施例１におけるＬＤ発光時間が短いラインでのタイミングチャートである。
【図４】実施例１におけるＬＤ発光時間が長いラインで固定電流Ｉ１を増加させた場合のタイミングチャートである。
【図５】有効走査領域に対する発光時間の割合と電流Ｉａとの関係を示す図である。
【図６】実施例２におけるＬＤ発光電流の出力タイミングを示すタイミングチャートである。
【図７】有効走査期間に対するＬＤ点灯時間の割合と電流Ｉａの通電時間との関係を示す図である。
【図８】実施例３におけるマルチレーザ素子の一方のｃｈの点灯により、他ｃｈのドループ特性が悪化していることを示す図である。
【図９】実施例４におけるＬＤ発光電流の出力タイミングを示すタイミングチャートである。
【図１０】実施例５におけるＬＤ発光電流の出力タイミングを示すタイミングチャートである。
【図１１】ドループ発生時のＬＤ駆動電流とＬＤ光の出力波形を示す図である。
【図１２】バイアス電流を流さない場合の光出力の特性とバイアス電流Ｉ１を流したときの光出力の特性を示す図である。
【符号の説明】
【００５５】
１  画像データ処理部１
２  ＬＤ制御部
２１  速度変換用ラインメモリ
２２  各種パターン生成部
２４  ＬＤ変調及び各種クロック生成部
２５  連続点灯検出部
２６  ＬＵＴ
２７  バイアス電流発生部
２９  各種設定レジスタ及びポリゴンモータ制御部
３  光源部
３１  レーザ駆動部
３２  ＬＤ
４  光走査部
５  ＣＰＵ
Ｉ１  固定電流
Ｉ２  加算電流
Ｉａ  電流（合計値）
【図１】
0005080953.tif 000002
【図２】
0005080953.tif 000003
【図３】
0005080953.tif 000004
【図４】
0005080953.tif 000005
【図５】
0005080953.tif 000006
【図６】
0005080953.tif 000007
【図７】
0005080953.tif 000008
【図８】
0005080953.tif 000009
【図９】
0005080953.tif 000010
【図１０】
0005080953.tif 000011
【図１１】
0005080953.tif 000012
【図１２】
0005080953.tif 000013